【手続補正書】
【提出日】平成16年10月5日(2004.10.5)
【手続補正１】
【補正対象書類名】明細書
【補正対象項目名】０００１
【補正方法】変更
【補正の内容】
【０００１】
【発明の属する技術分野】
この発明はデジタル放送受信システムに関し、特にその番組切り替え検出機能に関するものである。
【手続補正２】
【補正対象書類名】明細書
【補正対象項目名】００３１
【補正方法】変更
【補正の内容】
【００３１】
ユーザが特定の番組を指定すると、コントローラ１３はパラメータ設定手段として機能し、情報テーブルに記述された番組用パラメータを信号抽出用パラメータとしてＤＥＭＵＸ１２（デマルチプレクサ）に設定することにより、パケット選定内容をＤＥＭＵＸ１２に指示する。番組用パラメータは、パケット形式を解体して映像データ、音声データ、ＰＣＲ等を得るためのＰＩＤ等を含んだデータである。
【手続補正３】
【補正対象書類名】明細書
【補正対象項目名】００３２
【補正方法】変更
【補正の内容】
【００３２】
ＤＥＭＵＸ１２は信号抽出用パラメータに基づき、パケットストリーム内のパケット形式を解体しながら、映像データのビットストリームを抽出して映像デコーダ１４に出力し、音声データのビットストリームを抽出して音声デコーダ１５にそれぞれ出力するとともに、ＰＣＲのビットストリームを抽出してシステムクロック生成器１６に出力する。これらの映像データ、音声データ及びＰＣＲのビットストリームが番組用信号に相当する。
【手続補正４】
【補正対象書類名】明細書
【補正対象項目名】００４２
【補正方法】変更
【補正の内容】
【００４２】
＜実施の形態２＞
実施の形態２のデジタル放送受信システムは、番組の切り替わりの検出に、ＰＣＲの値が連続していないことを利用する。すなわち、ＰＣＲは時間情報であるからＰＣＲの値とＳＴＣ（System Time Clock；基準となる同期信号）の値との間にズレが生じたときに番組が切り替わったと判断し、新たに情報テーブルを読み直すようにする。
【手続補正５】
【補正対象書類名】明細書
【補正対象項目名】００４８
【補正方法】変更
【補正の内容】
【００４８】
ステップＳ２２で番組切り替わりを検出したと判断し、ステップＳ２３で新しい情報テーブルの読み出しを行い、ステップＳ２４で、読み出した情報テーブルに記述された番組用パラメータをＤＥＭＵＸ１２の信号抽出用パラメータとして設定し、ステップＳ２５でチャンネルチェンジを行って割込処理を終了する。
【手続補正６】
【補正対象書類名】明細書
【補正対象項目名】００５１
【補正方法】変更
【補正の内容】
【００５１】
図５はこの発明の実施の形態３であるデジタル放送受信システムによるＰＣＲ到着チェック処理に基づく番組切り替わり検出動作を示すフローチャートである。この動作は、実施の形態１と同様、コントローラ１３の制御下で主としてＤＥＭＵＸ１２上で行われる。また、実施の形態３のシステム構成は実施の形態１と同様である。
【手続補正７】
【補正対象書類名】明細書
【補正対象項目名】００５３
【補正方法】変更
【補正の内容】
【００５３】
図５を参照して、まず、ステップＳ３１で、上記カウンタのカウンタ値が“３”（所定値）以上であるか否かをチェックし、３以上（ＹＥＳ）の場合はステップＳ３２へ移行し、３未満（ＮＯ）である場合はステップＳ３３でカウンタを１カウントアップし処理を終了する。
【手続補正８】
【補正対象書類名】明細書
【補正対象項目名】００５４
【補正方法】変更
【補正の内容】
【００５４】
ステップＳ３２においてカウンタをクリアする。このとき、ＰＣＲ受信割込が３秒以上発生していない（ＰＣＲ受信割込発生時にカウンタが“０”にリセットされるため）ということになり、ステップＳ３４で、ＰＣＲが現在のＰＩＤに流れていないので番組が切り替わったと判断し、続くステップＳ３５で情報テーブルの読み直しを行い、ステップＳ３６で、読み直した情報テーブルに記述された番組用パラメータをＤＥＭＵＸ１２の信号抽出用パラメータとして設定し、ステップＳ３７でチャンネルチェンジを実行することによって、切り替わった番組を支障無くモニタ４上で再生することができる。
【手続補正９】
【補正対象書類名】明細書
【補正対象項目名】００５７
【補正方法】変更
【補正の内容】
【００５７】
図６はこの発明の実施の形態４であるデジタル放送受信システムによるデコーダのデコード結果のエラー通知を監視し、デコード結果のエラー通知に基づく番組切り替わり検出動作を示すフローチャートである。この動作は、実施の形態１と同様、コントローラ１３の制御下で主としてＤＥＭＵＸ１２上で行われる。また、実施の形態４のシステム構成は、映像デコーダ１４、音声デコーダ１５からのエラー通知をコントローラ１３が認識可能にした点を除き、実施の形態１と同様である。
【手続補正１０】
【補正対象書類名】明細書
【補正対象項目名】００５８
【補正方法】変更
【補正の内容】
【００５８】
映像デコーダ１４、音声デコーダ１５からのエラー通知をコントローラ１３が認識可能な構成は、映像デコーダ１４，音声デコーダ１５のエラー通知の有無を示すステータス情報をコントローラ１３が定期的に監視する、エラー通知時にコントローラ１３に割込みを発生する等により比較的簡単に実現できる。
【手続補正１１】
【補正対象書類名】明細書
【補正対象項目名】００５９
【補正方法】変更
【補正の内容】
【００５９】
コントローラ１３はデコーダからのエラー通知があると番組切り替わりがあったと判断し、ステップＳ４１で情報テーブルの読み直しを行い、ステップＳ４２で、読み直した情報テーブルに記述された番組用パラメータをＤＥＭＵＸ１２の信号抽出用パラメータとして設定し、ステップＳ４３でチャンネルチェンジを実行することによって、切り替わった番組を支障無くモニタ４上で再生することができる。
【手続補正１２】
【補正対象書類名】明細書
【補正対象項目名】００６７
【補正方法】変更
【補正の内容】
【００６７】
ステップＳ５４で情報テーブルの読み直しを行い、ステップＳ５５で、読み直した情報テーブルの番組用パラメータをＤＥＭＵＸ１２の信号抽出用パラメータとして設定し、ステップＳ５６でチャンネルチェンジを実行することによって、切り替わった番組を支障無くモニタ４上で再生することができる。
【手続補正１３】
【補正対象書類名】明細書
【補正対象項目名】００７７
【補正方法】変更
【補正の内容】
【００７７】
まず、ステップＳ８１で、あらかじめ次番組用メモリ１７に格納しておいた切替後の番組に対応する次番組用パラメータを次番組用メモリ１７から読み出し、ステップＳ８２で、読み出した次番組用パラメータをＤＥＭＵＸ１２の信号抽出用パラメータとして設定する。
【手続補正１４】
【補正対象書類名】明細書
【補正対象項目名】００７９
【補正方法】変更
【補正の内容】
【００７９】
正常にデコードできている場合（ステップＳ８４でＹＥＳの場合）は処理を終了し、正常にデコードできていない場合（ステップＳ８４でＮＯの場合）、ステップＳ８５で現在ホームサーバ３から流れているトランスポートストリームＴＳ１に基づくパケットストリームから情報テーブルを読み出し、ステップＳ８６で、読み出した情報テーブルに記述された番組用パラメータをＤＥＭＵＸ１２の信号抽出用パラメータとして設定して、ステップＳ８７でチャンネルチェンジを実行した後、処理を終了する。
【手続補正１５】
【補正対象書類名】明細書
【補正対象項目名】００８２
【補正方法】変更
【補正の内容】
【００８２】
＜実施の形態７＞
実施の形態７のデジタル放送受信システムは、番組の記録を停止する時にトランスポートストリームデータに不連続フラグ（従来例の不連続情報に相当）を付加し、さらにトランスポートストリームヘッダのＣＲＣ値を不連続フラグをたてたことによる変更を反映させて書き換えることによって、不連続フラグの有無を判断基準として番組の切り替わりを検出することにより、受信機に次に入力されたトランスポートストリームから新たに情報テーブルを読みとる。
【手続補正１６】
【補正対象書類名】明細書
【補正対象項目名】００９１
【補正方法】変更
【補正の内容】
【００９１】
実施の形態８では、不連続フラグ付加部２３によってホームサーバ３が再生状態から停止状態に変化したときにトランスポートストリームに不連続フラグが立つように書き換えたが、さらに、再生中であっても１つの番組の終了時にも不連続フラグが立つようにトランスポートストリームを書き換えることによって、連続再生時の番組の切り替わり検出も可能にすることができる。
【手続補正１７】
【補正対象書類名】明細書
【補正対象項目名】００９２
【補正方法】変更
【補正の内容】
【００９２】
なお、実施の形態８のデジタル放送受信システムによる番組切り替わり検出動作は、図１３で示した実施の形態７と同様に行われるため、説明を省略する。また、システム構成はトランスポートストリームＴＳ１がトランスポートストリームＴＳ２に変更される点、不連続フラグ付加部２１の存在を除き実施の形態１（但し、ホームサーバ３付き）と同様である。
【手続補正１８】
【補正対象書類名】明細書
【補正対象項目名】００９９
【補正方法】変更
【補正の内容】
【００９９】
一方、バージョンアップ割込み（ステップＳ７１がＹＥＳ）の場合は、ステップＳ７２で番組の切り替わりを検出したとみなし、ステップＳ７３で最新の情報テーブルの読み出しを行い、ステップＳ７４で、読み出した情報テーブルに記述された番組用パラメータをＤＥＭＵＸ１２の信号抽出用パラメータとして設定し、ステップＳ７５でチャンネルチェンジを実行することによって、切り替わった番組を支障無くモニタ４上で再生することができる。
【手続補正１９】
【補正対象書類名】明細書
【補正対象項目名】０１０２
【補正方法】変更
【補正の内容】
【０１０２】
＜実施の形態１０＞
実施の形態１０のデジタル放送受信システムは、トランスポートストリームの再生が中断されたときにトランスポートストリームの出力段で情報テーブルのバージョン番号を１番ずつ増加させる。次にストリームが再生されたときには、情報テーブルのバージョン番号が１番増えているので、実施の形態９と同様にバージョンアップ割込で処理を行い、新たな情報テーブルの番組用パラメータをＤＥＭＵＸ１２の信号抽出用パラメータとして設定することができるため素早く番組切り替え処理を行うことが可能になる。
【手続補正２０】
【補正対象書類名】明細書
【補正対象項目名】０１１０
【補正方法】変更
【補正の内容】
【０１１０】
図１８及び図１９はこの発明の実施の形態１１であるデジタル放送受信システムによる第１の番組切り替わり検出動作を示すフローチャートである。この動作は、実施の形態１と同様、コントローラ１３の制御下で主としてＤＥＭＵＸ１２上で行われる。また、システム構成は、受信機１内にネクスト情報テーブル用メモリ（図１０の次番組用メモリ１７と同様にコントローラ１３から読み書き可能なメモリ）を内蔵する点を除き実施の形態１と同様である。
【手続補正２１】
【補正対象書類名】明細書
【補正対象項目名】０１１１
【補正方法】変更
【補正の内容】
【０１１１】
まず、図１８を参照して初期設定動作を説明する。最初はステップＳ９１でカレント情報テーブルを読み込み、ステップＳ９２で、読み出した情報テーブルに記述された番組用パラメータをＤＥＭＵＸ１２の信号抽出用パラメータとして設定し、ステップＳ９３でチャンネルチェンジを実行する。
【手続補正２２】
【補正対象書類名】明細書
【補正対象項目名】０１１６
【補正方法】変更
【補正の内容】
【０１１６】
ステップＳ１０２で番組切り替わりを検出し、ステップＳ１０３でネクスト情報テーブル用メモリから次番組用パラメータを読み込む。そして、ステップＳ１０４で、ＤＥＭＵＸ１２の信号抽出用パラメータとして次番組用パラメータを設定した後、ステップＳ１０５でチャンネルチェンジを実行する。ステップＳ１０３〜Ｓ１０５の処理によって次番組パラメータの本設定処理が行われる。
【手続補正２３】
【補正対象書類名】明細書
【補正対象項目名】０１１８
【補正方法】変更
【補正の内容】
【０１１８】
そして、ステップＳ１０６でネクスト情報テーブルの読み出しを行い、ステップＳ１０７において、ステップＳ１０６で読み出したネクスト情報テーブルに記述された番組用パラメータを新たな次番組用パラメータとしてネクスト情報テーブル用メモリに保存する。
【手続補正２４】
【補正対象書類名】明細書
【補正対象項目名】０１２０
【補正方法】変更
【補正の内容】
【０１２０】
図２０及び図２１はこの発明の実施の形態１１であるデジタル放送受信システムによる第２の番組切り替わり検出動作を示すフローチャートである。このときのシステム構成は、実施の形態１と同様である。
【手続補正２５】
【補正対象書類名】明細書
【補正対象項目名】０１２１
【補正方法】変更
【補正の内容】
【０１２１】
まず、図２０を参照して初期設定動作を説明する。最初はステップＳ１１１でカレント情報テーブルを読み出し、ステップＳ１１２で、読み出したカレント情報テーブルに記述された番組用パラメータをＤＥＭＵＸ１２の信号抽出用パラメータとして設定し、ステップＳ１１３でチャンネルチェンジを実行する。
【手続補正２６】
【補正対象書類名】明細書
【補正対象項目名】０１２６
【補正方法】変更
【補正の内容】
【０１２６】
ステップＳ１２２で番組切り替わりを検出し、ステップＳ１２３でチャンネルチェンジを実行する。この時点で図２０で示した初期設定動作のステップＳ１１５で設定された信号抽出用パラメータがはじめて有効となる。すなわち、信号抽出用パラメータの本設定処理がステップＳ１２３で実行される。
【手続補正２７】
【補正対象書類名】明細書
【補正対象項目名】０１２８
【補正方法】変更
【補正の内容】
【０１２８】
第２の番組切り替わり検出動作では、チャンネルチェンジを実行するだけで、番組切替処理が終了するため、第１の番組切り替わり検出動作に比べても、番組切替処理の大幅な効率化を図ることができる。
【手続補正２８】
【補正対象書類名】図面
【補正対象項目名】図２
【補正方法】変更
【補正の内容】
【図２】
2001333339.tif 000001
【手続補正２９】
【補正対象書類名】図面
【補正対象項目名】図１８
【補正方法】変更
【補正の内容】
【図１８】
2001333339.tif 000002
【手続補正３０】
【補正対象書類名】図面
【補正対象項目名】図２０
【補正方法】変更
【補正の内容】
【図２０】
2001333339.tif 000003
【手続補正３１】
【補正対象書類名】図面
【補正対象項目名】図２２
【補正方法】変更
【補正の内容】
【図２２】
2001333339.tif 000004
【手続補正３２】
【補正対象書類名】図面
【補正対象項目名】図２３
【補正方法】変更
【補正の内容】
【図２３】
2001333339.tif 000005